(57)【要約】【課題】室温制御と換気制御を最適化できる臭気最適制御システムを提供する。【解決手段】ゴミ収集室１０内に搬入されたゴミ量を判定すると共にゴミ収集室１０内の室内温度に基づいた臭気発生量の経時変化を予測し、かつゴミ搬出まで、ゴミ収集室内を基準値以下となるようファン１５、１８のみで換気制御したときのファンの総電力量を演算し、他方、ゴミ搬入から搬出まで、各設定温度での臭気発生量を予測すると共に各温度に置換空調したときの空調機１２とファン１５、１８の総電力量を演算し、これらの総電力量を比較して電力量を低く抑える最適設定温度を求め、換気制御で、導入外気を排気する室内空気と熱交換して換気空気とし、これをゴミ収集室の床面から２〜３ｍの高さから下向きに吹き出し、空調機にて、ゴミ周辺の温度が上記最適設定温度となるよう置換空調するものである。【選択図】図１
2014013107.tif 000002
【特許請求の範囲】
【請求項１】
ゴミ収集室内に搬入されたゴミのゴミ量を判定すると共にゴミ収集室内の室内温度に基づいた臭気発生量の経時変化を予測し、かつゴミ搬出まで、ゴミ収集室内を基準値以下となるようファンのみで換気制御したときのファンの総電力量を演算し、他方、ゴミ搬入から搬出まで、各設定温度での臭気発生量を予測すると共に各温度に置換空調したときの空調機とファンの総電力量を演算し、これらの総電力量を比較して電力量を低く抑える最適設定温度を求め、換気制御で、導入外気を排気する室内空気と熱交換して換気空気とし、これをゴミ収集室の床面から２〜３ｍの高さから下向きに吹き出し、空調機にて、ゴミ周辺の温度が上記最適設定温度となるよう置換空調することを特徴とする臭気最適制御システム。
【請求項２】
ゴミ量の判定は、ゴミ収集室内に設けた臭気センサの検出値の経時変化から予測する請求項１記載の臭気最適制御システム。
【請求項３】
臭気発生量の予測は、予め各温度における臭気発生量の予測データを基に行う請求項１又は２記載の臭気最適制御システム。
【請求項４】
上記基準値を臭気濃度１６〜２４の範囲内で設定し、ファンのみの換気制御によるファンの総電力量の演算は、予測したゴミ搬出までの臭気発生量を上記基準値で除して総換気量を求め、その総換気量とファン動力から求める請求項１〜３いずれかに記載の臭気最適制御システム。
【請求項５】
空調機の総電力量の演算は、最適設定温度に基づいて置換空調したときの消費電力を、ゴミ搬出まで積算した電力量と、その最適設定温度で換気制御したときのファンの電力量を足し合わせて求める請求項１〜４いずれかに記載の臭気最適制御システム。
【請求項６】
ファンの総電力量と空調機の総電力量の演算は、ゴミ搬入から搬出までの気象予測データを基に補正する請求項４又は５記載の臭気最適制御システム。
【請求項７】
外気温度に応じて、最適設定温度を２０〜２７℃の範囲内のいずれかの温度に設定し、その最適設定温度に対して、空調機からの給気温度を１〜４℃低い温度に設定して給気を吹き出す請求項１〜６いずれかに記載の臭気最適制御システム。
【請求項８】
空調機から吹き出す給気の風速を０．５〜２ｍ／ｓｅｃにした請求項７記載の臭気最適制御システム。
【請求項９】
ゴミ収集室の床面から２〜３ｍの高さに複数の換気空気吹出フードが配置され、これら換気空気吹出フードから風速２ｍ／ｓｅｃ以下で換気空気が下向きに吹き出される請求項１記載の臭気最適制御システム。
【請求項１０】
ゴミが保管される側に近いゴミ収集室の側壁下部に換気口を設け、その換気口と対向する側のゴミ収集室の側壁近くに空調機を配置する請求項１〜９いずれかに記載の臭気最適制御システム。
【発明の詳細な説明】
【技術分野】
【０００１】
本発明は、大型集客施設に付随して設けられるゴミ収集室内で発生する臭気を基準値以下に抑えるための臭気最適制御システムに関するものである。
【背景技術】
【０００２】
競技場、大型ホテル、娯楽施設など大型集客施設では、利用者が飲み食いした生ゴミを回収すると共にこれをゴミ収集室内に保管し、清掃業者が、これを定期的に回収している。しかし、ゴミ収集室内に搬入されたゴミは、搬入から排出まで、一定期間保管するため、その間に大量の臭気が発生する。
【０００３】
ゴミ収集室では、臭気が滞留してその強度が高まるのを防ぐために換気することがなされているが、単に換気したのでは、施設外に臭気を排出することになり、人口密集地では周辺住民の悪臭苦情の原因となる。
【０００４】
悪臭防止法の６段階臭気強度表示法では、においの強さを０〜５の６段階で、次のように評価する方法がある。
臭気強度      においの程度
０              無臭
１          やっと感知できるにおい
２          何のにおいか判る弱いにおい
３          楽に感知できるにおい
４          強いにおい
５          強烈なにおい
【０００５】
悪臭防止法での規制範囲は、臭気強度２．５〜３．５に対応する物質濃度、又は臭気指数とするのが適当とされている。
【０００６】
臭気強度と濃度の関係は、物質により様々であり、臭気強度を３とすると濃度は、アンモニアで２ｐｐｍ、メチルメルカプタンで０．００４ｐｐｍ、硫化水素で０．０６ｐｐｍ、二硫化メチルで０．０３ｐｐｍ、トリメチルアミンで０．０２ｐｐｍである。
【０００７】
しかし、生ゴミから発生する臭気は、複合臭であり、物質の濃度で臭気強度を特定することはできない。
【０００８】
臭気強度と似た指標に臭気濃度や臭気指数があり、これらで臭気強度を判別するのが一般的に行われている。すなわち、臭気濃度とは、ある臭気を無臭の清浄な空気で希釈したときに、ちょうど無臭に至るまでに要した希釈倍数であり、臭気濃度１００は、無臭の空気で１００倍に希釈してにおいを感じなくなった濃度をいう。
【０００９】
ここで、人間の感覚（知覚強度）は、通常臭気濃度が１０倍であれば強度は２倍、１００倍あれば３倍というように対数関数的な増加となるため、臭気指数は、臭気指数＝１０×ｌｏｇ（臭気濃度）の関係で表され、臭気強度、臭気指数、臭気濃度は以下の関係にある。
臭気強度    臭気指数      臭気濃度
２．５      １０〜１５    １０〜３１
３．０      １２〜１８    １６〜６３
３．５      １４〜２１    ２５〜１２６
【００１０】
よって悪臭防止法での規制範囲である臭気強度２．５〜３．５に対応する臭気指数、臭気濃度は、臭気指数１０〜２１、臭気濃度１０〜１２６となる。
【００１１】
この臭気強度、臭気指数、臭気濃度は、雰囲気中の臭気の評価であるが、ゴミ収集室では生ゴミが保管されたときには、時間と共に臭気濃度は増加する。生ゴミから発生する臭気は腐敗臭であり、腐敗臭の原因は生ゴミ中の有機物を分解する微生物であり、与えられた環境で自然に増殖する。
【００１２】
微生物の増殖は、温度に関係し、非特許文献１では、図４に示すように生ゴミからの臭気発生の経時変化が報告されている。
【００１３】
この図４から温度が１０℃では、臭気濃度に変化がなく、２０℃、３０℃と温度が上昇するにしたがって臭気濃度（臭気指数）が上昇する。
【００１４】
従来、特許文献１に示されるように、清掃事業所などの室内に外気を導入し、室内空気を排気して換気する際に、排気する室内空気を臭いセンサで検出し、室内空気の臭気強度が基準値以上のときには、脱臭用の吸着材槽を通して排気し、基準値以下のときにはそのまま室内空気を大気に排気することが提案されている。しかし、室内で発生する臭気濃度が低いときにはよいが、ゴミ収集室などのように大量のゴミが保管され、臭気が大量に発生する環境では、臭気を伴った換気空気を吸着材で脱臭して排気するのは、大量の吸着材が必要であると共にその再生も必要となるため、大規模施設のゴミ収集室にこれを適用することはできず、苦情が起きない臭気濃度で、そのまま排気せざるを得ない。
【００１５】
また特許文献２では、ゴミをゴミ収集庫の開閉扉を開けてゴミ収集庫に廃棄する際の悪臭対策として、ゴミ収集庫のゴミの種別を判別すると共にゴミ収集庫内の臭気をゴミセンサで検出し、臭気レベルが閾値に達したときに空調機にてゴミ収集庫内を冷房運転すると共に脱臭制御することが提案されている。
【先行技術文献】
【特許文献】
【００１６】
【特許文献１】特開２００２−３９５８１号公報
【特許文献２】特開２００４−３１７０８８号公報
【非特許文献】
【００１７】
【非特許文献１】光田ら、生ごみ臭の臭気発生特性と制御に関する研究（第２報）、−生ごみの保存温度および材料が臭気発生特性に及ぼす影響について−、空気調和・衛生工学会学術講演会講演論文集、１９９２年、ｐｐ．７６９−７７２
【発明の概要】
【発明が解決しようとする課題】
【００１８】
しかしながら、図４から判るようにゴミからの臭気発生は、２０℃でも経時的に増加するものであり、臭気発生を防止するには１０℃以下にする必要があり、空調機で１０℃以下に冷房するのは、小容量のゴミ収集庫には適用できても、大容量のゴミ収集室の温度を１０℃以下に冷房するのは現実的ではない。
【００１９】
特に、大規模施設のゴミ収集室では、例えば、生ゴミなどの一般ゴミを３５トンと大量に保管し、ゴミ収集室の室内容積も６０００ｍ3（面積１２００ｍ2×高さ５ｍ）と膨大であり、空調制御で、夏期に室内を１０℃に制御して臭気発生を抑えたのでは、莫大な電気代がかかってしまう。
【００２０】
一般に業務用空調機の必要な冷房能力は、冷房対象の業種によって違うが、一般事務所で１１５〜１７０Ｗ／ｍ2、食堂で２３０〜３７０Ｗ／ｍ2となるが、ゴミ収集室では、四方が壁で包囲され、外部からの入熱も少ないため、４０〜５０Ｗ／ｍ2程度で十分であり、高さ（５ｍ）を考慮しても１２００ｍ2では、４８〜６０ｋＷが冷房負荷となり、最大負荷で、搬入から搬出まで、例えば２日間（４８時間）運転すると２３０４〜２８８０ｋＷｈとなってしまい、換気制御で要するファンの電力量より、少なくとも５倍以上の電力量となってしまう。
【００２１】
この換気制御においては、室内に臭気センサを設置し、臭気濃度を基準値以下に制御するが、外気温が高いときには、ゴミ収集室内で臭気が大量に発生するため、大量の換気制御が必要となり、消費電力も大きくなる。すなわち、図４からもわかるように、２０℃と３０℃で、それぞれ換気制御した場合、初期の臭気濃度まで希釈するための空気量は、３０℃では２０℃よりも１０倍（換気風量が１０倍）も多くなってしまう。また苦情とならない程度の臭気を排気するにしても、苦情発生限度に近い悪臭を常時大量に排気することにもなるため、換気制御だけでは問題がある。
【００２２】
このように、ゴミ収集室内を空調により臭気の発生を抑制しても、その電力量が膨大であり、また換気制御を組み合わせるにしても、室温制御と換気制御を最適化することは困難である。
【００２３】
そこで、本発明の目的は、上記課題を解決し、ゴミ収集室内で発生する臭気を支障なく換気でき、しかも空調機や換気ファンの運転コストを抑えることができると共に室温制御と換気制御を最適化できる臭気最適制御システムを提供することにある。
【課題を解決するための手段】
【００２４】
上記目的を達成するために、請求項１の発明は、ゴミ収集室内に搬入されたゴミのゴミ量を判定すると共にゴミ収集室内の室内温度に基づいた臭気発生量の経時変化を予測し、かつゴミ搬出まで、ゴミ収集室内を基準値以下となるようファンのみで換気制御したときのファンの総電力量を演算し、他方、ゴミ搬入から搬出まで、各設定温度での臭気発生量を予測すると共に各温度に置換空調したときの空調機とファンの総電力量を演算し、これらの総電力量を比較して電力量を低く抑える最適設定温度を求め、換気制御で、導入外気を排気する室内空気と熱交換して換気空気とし、これをゴミ収集室の床面から２〜３ｍの高さから下向きに吹き出し、空調機にて、ゴミ周辺の温度が上記最適設定温度となるよう置換空調することを特徴とする臭気最適制御システムである。
【００２５】
請求項２の発明は、ゴミ量の判定は、ゴミ収集室内に設けた臭気センサの検出値の経時変化から予測する請求項１記載の臭気最適制御システムである。
【００２６】
請求項３の発明は、臭気発生量の予測は、予め各温度における臭気発生量の予測データを基に行う請求項１又は２記載の臭気最適制御システムである。
【００２７】
請求項４の発明は、上記基準値を臭気濃度１６〜２４の範囲内で設定し、ファンのみの換気制御によるファンの総電力量の演算は、予測したゴミ搬出までの臭気発生量を上記基準値で除して総換気量を求め、その総換気量とファン動力から求める請求項１〜３いずれかに記載の臭気最適制御システムである。
【００２８】
請求項５の発明は、空調機の総電力量の演算は、最適設定温度に基づいて置換空調したときの消費電力を、ゴミ搬出まで積算した電力量と、その最適設定温度で換気制御したときのファンの電力量を足し合わせて求める請求項１〜４いずれかに記載の臭気最適制御システムである。
【００２９】
請求項６の発明は、ファンの総電力量と空調機の総電力量の演算は、ゴミ搬入から搬出までの気象予測データを基に補正する請求項４又は５記載の臭気最適制御システムである。
【００３０】
請求項７の発明は、外気温度に応じて、最適設定温度を２０〜２７℃の範囲内のいずれかの温度に設定し、その最適設定温度に対して、空調機からの給気温度を１〜４℃低い温度に設定して給気を吹き出す請求項１〜６いずれかに記載の臭気最適制御システムである。
【００３１】
請求項８の発明は、空調機から吹き出す給気の風速を０．５〜２ｍ／ｓｅｃにした請求項７記載の臭気最適制御システムである。
【００３２】
請求項９の発明は、ゴミ収集室の床面から２〜３ｍの高さに複数の換気空気吹出フードが配置され、これら換気空気吹出フードから風速２ｍ／ｓｅｃ以下で換気空気が下向きに吹き出される請求項１記載の臭気最適制御システムである。
【００３３】
請求項１０の発明は、ゴミが保管される側に近いゴミ収集室の側壁下部に換気口を設け、その換気口と対向する側のゴミ収集室の側壁近くに空調機を配置する請求項１〜９いずれかに記載の臭気最適制御システムである。
【発明の効果】
【００３４】
本発明は、ゴミ収集室に搬入されたゴミ量を判定し、そのゴミを保管したときに搬出されるまでの臭気発生量を予測すると共に各温度における臭気発生量を予測し、これらから消費電力を少なくできる最適設定温度を設定し、その最適設定温度に基づいて、ゴミ収集室内を置換空調することで、空調機とファンの消費電力を抑えながら最適な臭気制御が行えるという優れた効果を発揮する。
【図面の簡単な説明】
【００３５】
【図１】本発明の臭気最適制御システムの概略ブロックである。
【図２】本発明の臭気最適制御システムの制御フローを示す図である。
【図３】本発明において、ゴミの各温度における臭気濃度と臭気発生量の経時変化を示す図である。
【図４】非特許文献１の光田らが発表した生ゴミからの臭気発生の経時変化を示す図である。
【発明を実施するための形態】
【００３６】
以下、本発明の好適な一実施の形態を添付図面に基づいて詳述する。
【００３７】
図１は、本発明の臭気最適制御システムの概略図を示したものである。
【００３８】
先ず、本発明が対象とするゴミ収集室１０は、競技場、大型ホテル、娯楽施設など大型集客施設に付随して設けられるもので、床面積が１００ｍ2〜数１０００ｍ2で、高さが３ｍ以上を対象とする。
【００３９】
このゴミ収集室１０内には、大型集客施設でイベントなどがあると、一度に大量に生ゴミ等の一般ゴミ１１（以下単にゴミという）が搬入される。このゴミ１１は、定期的にゴミ回収業者が搬出するが、その保管中に臭気が大量に発生する。
【００４０】
本発明においては、このゴミ１１が搬入されたとき、そのゴミ１１から発生する臭気発生量を温度ごとに予測し、ゴミ収集室１０内の臭気濃度が基準値以下に保持するために、ゴミ収集室１０内の温度と換気量を設定する際に、消費電力を少なくして最適臭気制御できるようにしたものである。
【００４１】
ゴミ収集室１０内には、空調機１２が設置され、空調機１２が設置された反対側のゴミ収集室１０の側壁下部に換気口１３が形成され、その換気口１３に排気ダクト１４が接続され、その排気ダクト１４に室内空気を排気空気ＥＡとして排気する排気ファン１５が接続される。またゴミ収集室内で床面から高さ２〜３ｍの高さに換気空気吹出フード１６が設けられ、その換気空気吹出フード１６に外気導入ダクト１７が接続され、その外気導入ダクト１７に給気ファン１８が接続される。排気ダクト１４と外気導入ダクト１７には、排気空気ＥＡと導入外気ＯＡの顕熱を間接熱交換する顕熱交換器１９が接続される。
【００４２】
換気空気吹出フード１６は、図では２つ示しているが、ゴミ収集室１０の広さに合わせて換気空気を均一に吹き出すよう多数設けられる。
【００４３】
空調機１２は、床面から換気空気吹出フード１６までの空間Ｓに温度成層域を形成して置換空調するもので、空調機１２の前面下部から還気ＲＡを吸引し、これを室内設定温度より１〜４℃低い温度に冷却した後、上部前面から微風（０．５〜２ｍ／ｓｅｃ）で給気ＳＡを吹き出すように構成される。
【００４４】
この空調機１２による置換空調制御と、ファン１５、１８による換気制御を説明する。
【００４５】
先ず、後述するが置換空調する際に、空調機１２は、換気ＲＡを吸い込み、これを最適設定温度に対して１℃〜４℃低い温度の空調空気として、給気ＳＡを微風で吹き出す。この際、空調機１２は、ゴミ１１と対向した側にあり、空調機１２からの給気ＳＡがゴミ１１に到達する風速になるようゴミ１１と空調機１２の距離に応じて風速を０．５〜２ｍ／ｓｅｃの範囲内で設定する。
【００４６】
一方、ゴミ１１側の換気口１３から室内空気が排気ファン１５にて吸引され、同時にその排気量に見合った外気ＯＡが給気ファン１８で吸引され、顕熱交換器１９で室内空気と外気ＯＡが顕熱交換されて冷熱が回収され、これを換気空気として換気空気吹出フード１６から風速２ｍ／ｓｅｃ以下で下向きに吹き出される。
【００４７】
これにより給気ＳＡと換気空気で撹拌されることなく、床面から換気空気吹出フード１６までの２〜３ｍの空間Ｓに温度成層域が形成され、その空間Ｓが置換空調される。このように置換空調するとゴミ収容室１０の約半分以下が空調対象空間となり、また循環風量を少なくできるため、空調機１２の消費電力を通常の空調に比べて半分以下とすることができる。
【００４８】
空調機１２による置換空調制御とファン１５、１８による排気制御を用いた臭気最適制御を説明する。
【００４９】
ゴミ収集室１０内には、ゴミ１１の近くに温度センサ２１が設けられ、また１．５ｍ前後の高さに臭気センサ２２が設けられ、その検出値が臭気最適制御手段２０に入力される。
【００５０】
臭気最適制御手段２０は、基本的には臭気センサ２２で検出される臭気濃度が基準値以下となるように排気ファン１５と給気ファン１８での換気量を制御する。臭気濃度の基準値は、上述したように排気空気ＥＡをそのまま周辺に排気しても苦情発生のない臭気強度３．５未満となる臭気濃度１６〜２４の範囲内で設定、例えば基準値を「１９」に設定する。
【００５１】
臭気センサ２２で検出されるセンサ値は、例えば接触燃焼式で臭い成分のガスを燃焼させたときのガス量に基づくが、臭い成分を構成する物質によって臭気濃度とガス量の関係は様々であるが、ゴミ収集室１０に収容されるゴミ１１は、その施設でゴミ種を特定できるため、センサ値と臭気濃度の関係を予め実験でキャリブレーションしておく。
【００５２】
さて、臭気最適制御手段２０には、外気温度センサ２３の検出値、ゴミ収集室１０における地域の気象予測データ２４、ゴミの搬出入を検出するゴミ搬出入検出手段２５、発生臭気データ２６が入力され、これらに基づいてゴミ量判定手段２７でゴミ量を判定すると共に臭気濃度予測手段２８で臭気濃度と臭気発生量を予測し、また電力量演算手段２９で、ゴミ収集室１０内を置換空調・換気制御したときの総電力量を演算し、その総電力量が少なくなるように駆動制御装置３０を介して空調機１２とファン１５、１８を制御するようになっている。
【００５３】
ゴミ搬出入検出手段２５は、ゴミ収集室１０内にゴミ１１が搬入されたときに臭気最適制御手段２０に直接その搬入時刻と搬入量を入力するようにしても、またゴミ１１が搬入されるとゴミ収集室１０内の臭気濃度が上昇し、ゴミ１１が搬出されると臭気濃度が低下するため、臭気センサ２２の検出値の経時変化からゴミの搬入・搬出を検出するようにしても、或いは集客施設における年間スケジュールが決まっており、また清掃業者のゴミ回収日も決まっているため、予めこれを記憶し、これらを総合してゴミの搬入・搬出を検出するようにしてもよい。
【００５４】
また、ゴミ量判定手段２７は、ゴミ搬出入検出手段２５にて直接入力されたゴミ量から或いは室内温度センサ２１の温度情報と臭気センサ２２の臭気濃度の上昇度からゴミ量を判定するようにしてもよい。
【００５５】
発生臭気データ２６は、ゴミの各温度における臭気濃度と臭気発生量を記憶しており、例えば図３に示すように各温度におけるゴミの臭気濃度と臭気発生量の経時変化のデータを記憶している。
【００５６】
図３は、図４に示した光田らの報告（非特許文献１）した式を基に、初期のゴミの臭気濃度が例えば３００のとき、各温度（３０℃、２６℃、２４℃、２０℃、１０℃）における臭気濃度と臭気発生量の経時変化を示したものである。この各温度における臭気濃度曲線と臭気発生曲線は、時間（ｘ）と臭気濃度・臭気発生量（ｙ）が図示の指数関数式で近似できるため、これを発生臭気データ２６に記憶させておく。
【００５７】
臭気最適制御手段２０は、ゴミが搬入され、そのゴミ量を判定した後、ゴミ量に基づいた発生臭気データ２６と気象予測データ２４を臭気濃度予測手段２８に入力する。
【００５８】
臭気濃度予測手段２８は、ゴミ搬入からゴミ搬出まで、ゴミ収集室１０内の室内温度を気象予測データ２４を基に、そのままゴミを保管したときの臭気濃度と臭気発生量の経時変化を予測すると共にゴミ搬出時の臭気濃度と臭気発生量を求める。次にこの求めたゴミ搬出時の臭気濃度と臭気発生量を基に、電力量演算手段２９が、ファンのみで換気制御したときのファン１５、１８の換気量を、搬出時の発生臭気量を基準値で除して求め、その総換気量から総電力量Ａを演算する。
【００５９】
次に、臭気濃度予測手段２８は、ゴミ搬入からゴミ搬出まで、ゴミ収集室１０内の室内温度を、置換空調により、設定温度に維持したとき、その各設定温度に基づいた臭気濃度と臭気発生量の経時変化を予測し、ゴミ搬出時の臭気濃度と臭気発生量を求め、次にこの求めたゴミ搬出時の臭気濃度と臭気発生量を基に電力量演算手段２９が、空調機１２の総電力量とファン１５、１８の電力量を演算するが、この際、空調機１２の総電力量は、外気温度により変わるため、電力量演算手段２９は、気象予測データ２４を基に、外気温度変化に基づく消費電力を時間毎に積算して空調機１２の電力量を演算し、同時にファン１５、１８の電力量も演算して、空調機の総電力量Вを求める。
【００６０】
臭気最適制御手段２０は、ファンのみで換気制御したときのファン１５、１８の総電力量Ａと空調機の総電力量Вとを比較し、基本的には電力量が最も低くなる条件で運転するが、換気制御のみ、或いは置換空調の設定温度が高いときには、排風量が多くなるため、排風量の少ない設定温度を最適設定温度として置換空調と換気制御を行う。
【００６１】
表１は、２０１０年８月１日〜２０１０年８月２９日までの気象データを基に１日の平均外気温度変化（２６．５〜３３．１℃）を基に、ゴミ収集室（面積１２００ｍ2×高さ５ｍ）に、初期臭気発生量６００のゴミを保管したとき、搬出まで（４８時間）、臭気濃度が１９となるように、ファンのみで換気制御したときの総電力量Ａと、置換空調の設定温度を３０℃〜２０℃とし、同時に換気制御を行ったときの電力量の計算結果を示したものである。
【００６２】
この際、ファン動力を３７ｋＷ、空調機最大動力を５０ｋＷ、ＣＯＰを４として計算した。
【００６３】
【表１】
2014013107.tif 000003
【００６４】
表１より、３０℃の置換空調と換気制御では、換気制御のみよりも総電力量が大きく、２９℃以下に置換空調することで、換気制御のみの総電力量よりも低くなり、設定温度２６℃の置換空調と換気制御が、換気制御のみの総電力量に対して、０．８６となり、設定温度２４℃以下とすると、総電力量が大きくなり、設定２０℃で、０．９９と換気制御のみの総電力量と略同じとなる。
【００６５】
この計算結果は、臭気濃度の基準値を１９としたときの計算結果であり、臭気濃度の基準値を１９以下にすれば、換気制御のみの総電力量はさらに上昇し、基準値を１９以上にすれば総電力量は低下する。
【００６６】
しかし上述のように、臭気を伴った空気を大量に排気することは好ましくなく、２６℃の置換空調よりも、総電力量は上がるものの、２４℃以下で置換空調した方がより排気量を少なくできるため、周辺に排気する環境を考慮すれば、より好ましい場合がある。
【００６７】
よって、置換空調する最適室内設定温度は、周辺環境に応じて、２７℃〜２０℃の範囲で設定するのがよい。
【００６８】
次に、図２により、本発明の臭気最適制御システムの制御フローを説明する。
【００６９】
ステップＳ１で、制御が開始され、ステップＳ２で、室内・外気温度が検出され、ステップＳ３でゴミ収集室内の臭気濃度を検出する。次にステップＳ４の判断で、ゴミが搬入されたかどうかを判断し、ゴミが搬入されていないとき（ＮＯ）、ステップＳ２に戻し、ゴミが搬入されたとき（ＹＥＳ）に、室内温度と臭気濃度変化などからゴミ量を判定し（ステップＳ５）、ステップＳ６で現在の室内の臭気濃度は基準値（１９）以下かどうかを判断し、基準値を超えるときには、ステップＳ７で換気制御を行って基準値以下に下げ、基準値以下のとき（ＹＥＳ）、判定ゴミ量と現在室温と気象予測データを参照して、ゴミ搬出までの臭気発生量を予測すると共に、その予測した臭気発生量から基準値以下に下げるに要するファン動力の総電力量Ａを演算し（ステップＳ８）、同時に、判定ゴミ量を基に、各温度で、ゴミ搬出までの臭気発生量の予測と空調機で置換空調したときの総電力量Ｂを演算する（ステップＳ９）。
【００７０】
次に、ステップＳ１０で、総電力量ＡとВとを比較して最適設定温度を設定し、ステップＳ１１で、最適設定温度で置換空調し、この置換空調を行っているとき、ステップＳ１２でゴミが搬出されたかどうかを判断し、ゴミが搬出されるまで、ステップＳ７の換気制御をし、またステップＳ８〜Ｓ１１で、再度電力量Ａ、Ｂの演算と比較を行って外気温度変化に基づいて最適設定温度を再度設定し、ステップＳ１２の判断で、ゴミが搬出されたとき（ＹＥＳ）、制御を終了する（ステップＳ１３）。
【００７１】
このように、本発明は、搬入されるゴミ量を判定し、ゴミ収集室内の温度制御を行わずに、ファンのみで換気制御を行ったときの総電力量Ａを演算し、他方各温度における臭気発生量を予測すると共に、その各温度で置換空調したときの総電力量Ｂを演算し、この総電力量Ａ、Ｂを比較することで最適設定温度を設定し、その設定温度で置換空調することで、ゴミから発生する臭気を抑えつつ最適な臭気制御を行うことができる。
【符号の説明】
【００７２】
１０  ゴミ収集室
１１  ゴミ
１２  空調機
１５  排気ファン
１６  換気空気吹出フード
１８  給気ファン
２０  臭気最適制御手段
２１  温度センサ
２２  臭気センサ
【図１】
2014013107.tif 000004
【図２】
2014013107.tif 000005
【図３】
2014013107.tif 000006
【図４】
2014013107.tif 000007